(57)【要約】【課題】携帯端末の画面上に表示される電子機器のアイコンの登録を容易化することにより、ユーザの利便性を向上させることができる機器管理システムを得る。【解決手段】携帯端末６は、タッチパネル式の表示画面と、見取り図データ１０とアイコンデータ１１と機器座標データ１２とを記憶するメモリ６ａと、表示画面に対するタッチ操作を検出した場合、表示画面上に見取り図を表示すると共に、表示画面上にアイコンを表示する表示制御部６ｂと、を備え、表示制御部６ｂは、見取り図上に位置しないアイコンに対するドラッグ操作を検出した場合、ドラッグ操作に追従させるようにアイコンを移動させ、このアイコンのドラッグ操作が見取り図上で完了したとき、見取り図上に位置するアイコンの座標値に機器座標データ１２を更新する。【選択図】図３
2014164346.tif 000002
【特許請求の範囲】
【請求項１】
宅内に設置されネットワークに接続された制御対象の機器を前記ネットワークを介して管理する携帯端末を備えた機器管理システムであって、
前記携帯端末は、
タッチパネル式の表示画面と、
前記ネットワークを介して前記機器との間で情報の通信を行う通信部と、
前記機器が設置される宅内の見取り図データと、前記機器を表わす機器アイコンデータと、前記表示画面に表示される前記機器のアイコンの位置を示す機器座標データとを記憶するメモリと、
前記表示画面に対するタッチ操作を検出した場合、前記見取り図データに基づいて前記表示画面上に見取り図を表示すると共に、前記機器アイコンデータに基づいて前記表示画面上に前記アイコンを表示する表示制御部と、
を備え、
前記表示制御部は、前記見取り図上に位置しない前記アイコンに対するドラッグ操作を検出した場合、ドラッグ操作に追従させるようにアイコンを移動させ、このアイコンのドラッグ操作が見取り図上で完了したとき、見取り図上に位置するアイコンの座標値に前記機器座標データを更新することを特徴とする機器管理システム。
【請求項２】
前記表示制御部は、前記タッチ操作を検出した場合、前記見取り図上に位置しない前記アイコンを前記見取り図と重ならない位置に表示し、このアイコンに対するドラッグ操作を検出した場合、ドラッグ操作に追従させるようにアイコンを移動させることを特徴とする請求項１に記載の機器管理システム。
【請求項３】
前記メモリには、前記機器から送信された機器動作状態データが記録され、
前記表示制御部は、前記見取り図上に移動されたアイコンに対応する機器の前記機器動作状態データに基づいて、この機器の動作状態情報をこのアイコンに対応付けて表示することを特徴とする請求項１または２に記載の機器管理システム。
【請求項４】
前記表示制御部は、前記動作状態情報のタッチ操作が行われたとき、前記機器の動作設定内容を変更する機器操作画面を前記見取り図に重畳して表示させることを特徴とする請求項３に記載の機器管理システム。
【請求項５】
前記表示画面に対するタッチ操作により動作設定内容が変更された機器を制御するデータを生成し、前記通信部を介して前記ネットワークに出力する機器制御部を備え、
前記機器が空調機である場合、
前記表示制御部は、空調機の室内機から吐き出される風の向きと風量を図形化したアイコンを前記表示画面上に表示し、ドラッグ操作に応じてこのアイコンの形状を変化させ、ドラッグ操作完了後のアイコンの座標値に基づいて前記機器動作状態データを更新し、
前記機器制御部は、この機器動作状態データに基づいて前記室内機から吐き出される風の向きと風量を制御することを特徴とする請求項３または４に記載の機器管理システム。
【発明の詳細な説明】
【技術分野】
【０００１】
本発明は、端末装置の表示画面に宅内の電子機器に関する情報を視覚化して表示すると共に、この機器の動作を遠隔操作する機器管理システムに関するものである。
【背景技術】
【０００２】
従来より、携帯端末の表示画面に、家の間取り配置を示す見取り図を表示すると共に、宅内に設置される電子機器（例えば空調機など）の機種を示すアイコンを見取り図に重畳させて表示することにより、電子機器の動作状態を容易に判別することができる表示システムが提案されている。
【０００３】
例えば、下記特許文献１に示される従来技術では、伝送路と電子機器とを接続するための接続部が各部屋に設けられ、接続部には部屋を特定する部屋ＩＤと機器を特定する機器ＩＤとが割り付けられている。そして、接続部に電子機器が接続されたとき、接続部により自動的に部屋ＩＤおよび機器ＩＤが割り付けられる。このように、部屋ＩＤに電子機器ＩＤを関連付けることよって、ポインタで指示された部屋を拡大表示した際、その部屋に関連付けられた電子機器のアイコンを表示するように構成されている。
【先行技術文献】
【特許文献】
【０００４】
【特許文献１】特開２００１−９２７６２号公報
【発明の概要】
【発明が解決しようとする課題】
【０００５】
しかしながら、上記特許文献１に示される従来技術では、接続部に電子機器が接続されたときに、部屋ＩＤと機器ＩＤとが自動的に電子機器へ割り付けられるため、ユーザが細やかに、かつ、直感的に電子機器のアイコンを登録することができない。すなわち見取り図上の任意の場所に電子機器のアイコンを登録することができないため、あたかも実際の宅内に電子機器を据え付けるかのように電子機器のアイコンの登録を容易化するというニーズに対応することができないという課題があった。
【０００６】
本発明は、上記に鑑みてなされたものであって、携帯端末の画面上に表示される電子機器のアイコンの登録を容易化することにより、ユーザの利便性を向上させることができる機器管理システムを得ることを目的とする。
【課題を解決するための手段】
【０００７】
上述した課題を解決し、目的を達成するために、本発明は、宅内に設置されネットワークに接続された制御対象の機器を前記ネットワークを介して管理する携帯端末を備えた機器管理システムであって、前記携帯端末は、タッチパネル式の表示画面と、前記ネットワークを介して前記機器との間で情報の通信を行う通信部と、前記機器が設置される宅内の見取り図データと、前記機器を表わす機器アイコンデータと、前記表示画面に表示される前記機器のアイコンの位置を示す機器座標データとを記憶するメモリと、前記表示画面に対するタッチ操作を検出した場合、前記見取り図データに基づいて前記表示画面上に見取り図を表示すると共に、前記機器アイコンデータに基づいて前記表示画面上に前記アイコンを表示する表示制御部と、を備え、前記表示制御部は、前記見取り図上に位置しない前記アイコンに対するドラッグ操作を検出した場合、ドラッグ操作に追従させるようにアイコンを移動させ、このアイコンのドラッグ操作が見取り図上で完了したとき、見取り図上に位置するアイコンの座標値に前記機器座標データを更新することを特徴とする。
【発明の効果】
【０００８】
この発明によれば、ユーザの利便性を向上させることができる、という効果を奏する。
【図面の簡単な説明】
【０００９】
【図１】図１は、本発明の実施の形態１に係る機器管理システムを模式的に示す図である。
【図２】図２は、図１に示されるサーバの機能ブロック図である。
【図３】図３は、図１に示される携帯端末の機能ブロック図である。
【図４】図４は、機器登録ボタンが操作される前の機器登録画面の一例を示す図である。
【図５】図５は、機器登録ボタンが操作された後の機器登録画面の一例を示す図である。
【図６】図６は、機器動作状態表示画面の一例を示す図である。
【図７】図７は、機器操作画面の一例を示す図である。
【図８】図８は、見取り図上に電子機器を登録する際の動作を説明するためのフローチャートである。
【図９】図９は、本発明の実施の形態２に係る機器管理システムを模式的に示す図である。
【図１０】図１０は、図９に示される携帯端末の機能ブロック図である。
【図１１】図１１は、本発明の実施の形態３に係る機器管理システムの携帯端末の画面でエアコンの風向と風量を操作するときの表示例を示す図である。
【発明を実施するための形態】
【００１０】
以下に、本発明に係る機器管理システムの実施の形態を図面に基づいて詳細に説明する。なお、この実施の形態によりこの発明が限定されるものではない。
【００１１】
実施の形態１．
図１は、本発明の実施の形態１に係る機器管理システムを模式的に示す図である。図２は、図１に示されるサーバの機能ブロック図である。図３は、図１に示される携帯端末の機能ブロック図である。図４は、機器登録ボタンが操作される前の機器登録画面の一例を示す図である。図５は、機器登録ボタンが操作された後の機器登録画面の一例を示す図である。図６は、機器動作状態表示画面の一例を示す図である。図７は、機器操作画面の一例を示す図である。図８は、見取り図上に電子機器を登録する際の動作を説明するためのフローチャートである。
【００１２】
図１に示される機器管理システムでは、サーバ１がＷＡＮ２を介してホームゲートウェイ３と携帯端末６とに接続されている。ホームゲートウェイ３には、宅内機器である複数の電子機器４がＬＡＮ５を介して接続されており、サーバ１ではＷＡＮ２を介して各電子機器４からの情報が収集および保持される。電子機器４は例えば家庭用の空調機（エアコン）、冷蔵庫、およびテレビなどであるが、電子機器の機種はこれらに限定されるものではない。
【００１３】
電子機器４から出力される情報は、例えば、機器機種情報データ１３、機器動作状態データ１４、機器識別情報データ１５などである（図３参照）。機器機種情報データ１３は、電子機器４の機種を特定するためのデータである。機器動作状態データ１４は、電子機器４の動作状態（電子機器４が動作中であるか否か、電子機器４の運転モードなど）を示す情報に関するデータである。機器識別情報データ１５は、各電子機器４を特定するためのデータであり、例えばＭＡＣアドレスや製造番号などである。これらの情報は各電子機器４からサーバ１に対して定期的に送信される。
【００１４】
図２に示されるサーバ１は、主たる機能として、ＷＡＮ２を介して携帯端末６または電子機器４との間で情報を送受信する通信部１ｃと、テーブル１ａと、機器制御部１ｂとを有して構成されている。
【００１５】
テーブル１ａでは、例えば機器動作状態データ１４および機器識別情報データ１５が電子機器４の種別と対応付けて管理されている。テーブル１ａの情報は、機器動作状態データ１４および機器識別情報データ１５を受信する毎に最新の状態に更新される。なお、サーバ１が電子機器４からの情報を収集および管理する構成例は、図示例に限定されるものではない。
【００１６】
図３に示される携帯端末６は、携帯電話、スマートフォン、あるいは電子機器４を制御可能な操作端末である。携帯端末６は、ＷＡＮ２を介してサーバ１または電子機器４との間で情報を送受信する通信部６ｃと、各種情報を記録するメモリ６ａと、表示制御部６ｂと、機器制御部６ｄとを有して構成されている。なお、図示例では省略しているが、携帯端末６にはこれらの機能の他にも携帯端末６の動作を司るＣＰＵなども設けられている。
【００１７】
携帯端末６のメモリ６ａには、前述した機器機種情報データ１３、機器動作状態データ１４、および機器識別情報データ１５の他にも、見取り図データ１０、アイコンデータ１１、機器座標データ１２などが記録される。機器制御部６ｄは通信部６ｃを介して一定周期でサーバ１にアクセスして各種データの送信要求を行い、送信要求を受信したサーバ１の機器制御部１ｂはこの送信要求に応じた情報を携帯端末６に送信する。サーバ１から携帯端末６に送信される情報は、例えば見取り図データ１０、アイコンデータ１１、および電子機器座標データ１２などである。
【００１８】
見取り図データ１０は、電子機器４が設置されている建物の見取り図に関するデータである。見取り図データ１０は、サーバ１などからダウンロードされるものに限定されず、携帯端末６内のアプリケーションでユーザが作成した見取り図であってもよい。
【００１９】
アイコンデータ１１は電子機器４の機種を表わす記号のデータである。図６には、アイコンデータ１１に基づいて生成されたアイコンの一例が示され、図示例では、例えば見取り図１０ａの「洋室２」に登録されたエアコンのアイコン１１ａや、「キッチン」に登録された冷蔵庫のアイコン１１ｂや、「リビング」に登録されたテレビのアイコン１１ｃなどが示されている。
【００２０】
アイコンデータ１１は、電子機器４の機種毎に予め作成されて例えばサーバ１に記録されており、携帯端末６がサーバ１にアクセスした際に携帯端末６のメモリ６ａに記録される。携帯端末６の表示制御部６ｂは、メモリ６ａに記録されたアイコンデータ１１に基づいてアイコンをタッチパネルの表示画面７に表示させる。このことにより、表示画面７には、ユーザが操作対象の電子機器４の種別を直感的に把握することができるようにアイコンが表示される。
【００２１】
機器座標データ１２は、電子機器４が設置されている場所を見取り図に関連付けるために電子機器４のアイコンが配置されるべき見取り図１０ａ上の位置を示すものである。例えば、図４の表示画面７に表示される見取り図の外枠左下の角を原点としたとき、この原点からアイコンの配置位置におけるＸ座標上およびＹ座標上の値がドラッグ操作された電子機器４の位置を示す。
【００２２】
ドラッグ操作は、ユーザが指やタッチペンなど操作体で移動対象であるアイコンを移動元（未登録機器リスト８）から移動先（見取り図１０ａ上）までドラッグすることである。具体的には、図５の見取り図１０ａの下側には未登録機器リスト８が表示され、未登録機器リスト８には見取り図１０ａ上に登録される前の電子機器４のアイコンが示されている。ユーザが未登録機器リスト８内の任意のアイコンを見取り図１０ａ上に移動させる操作がドラッグ操作であり、この場合、機器座標データ１２の初期値は、上記原点からの未登録機器リスト８内のアイコンの配置位置におけるＸ座標上およびＹ座標上の値となる。なお、機器座標データ１２には、見取り図のフロア階数（１階、２階など）を示す値を用いてもよい。
【００２３】
表示制御部６ｂは、表示画面７で所定の操作が行われたとき、見取り図データ１０に基づいて、見取り図１０ａおよび機器登録ボタン１６を表示画面７上に表示させる（図４参照）。所定の操作とは、例えば、図４の機器登録画面３０でタッチ操作により電子機器４のアイコンを見取り図１０ａ上に登録するアプリケーションを起動させるような操作である。
【００２４】
機器登録画面３０には、見取り図１０ａの他にも機器登録ボタン１６が表示され、機器登録ボタン１６がタッチ操作されたとき、表示制御部６ｂでは機器登録ボタン１６が操作されたことが検知され、このとき表示制御部６ｂは、表示画面７の表示を図４の機器登録画面３０から図５の機器登録画面３１に切り替える。
【００２５】
図５の機器登録画面３１上の見取り図１０ａには、「洋室２」に登録されたエアコンのアイコン１１ａが表示されている。また、図５の機器登録画面３１上の未登録機器リスト８には、冷蔵庫のアイコン１１ｂ、テレビのアイコン１１ｃ、エアコンのアイコン１１ｄが表示されている。さらに、エアコンのアイコン１１ａにはその機器識別情報１５ａが対応付けて表示されている。同様に、冷蔵庫のアイコン１１ｂにはその機器識別情報１５ｂが対応付けて表示され、テレビのアイコン１１ｃにはその機器識別情報１５ｃが対応付けて表示され、エアコンのアイコン１１ｄにはその機器識別情報１５ｄが対応付けて表示されている。
【００２６】
未登録機器リスト８に表示されたアイコンのドラッグ操作が行われたとき、表示制御部６ｂは、選択されたアイコンをドラッグ操作に追従させるように移動させて、ドラッグ操作が完了した位置（指やタッチペンが表示画面７から離されて非接触となった時点）でドラッグ操作完了（ドロップ）と判断し、その位置をアイコンの設定位置として登録する。図５では、未登録機器リスト８のアイコン１１ｂが選択され、選択されたアイコン１１ｂがドラッグ操作により見取り図１０ａの「キッチン」に移動され、その位置にアイコン１１ｂが登録された状態が示されている。このとき、見取り図１０ａ上に登録されたアイコン１１ｂには機器識別情報１５ｂ（図示例ではＭＡＣアドレス）が対応付けて表示される。このようにして、未登録機器リスト８から選択されたアイコンが見取り図１０ａの任意の場所に登録される。
【００２７】
図６には、電子機器４の動作状態を表示する機器動作状態表示画面３２の一例が示され、機器動作状態表示画面３２では、ドラッグ操作後の各アイコン（１１ａ〜１１ｄ）に機器動作状態情報（１４ａ〜１４ｄ）が対応付けて表示されている。図示例では、「洋室２」に登録されたエアコンのアイコン１１ａにその動作状態を示す機器動作状態情報１４ａが対応付けて表示されている。機器動作状態情報１４ａは、例えばエアコンが運転中であること示す情報や、エアコンの運転モードが冷房であることを示す情報や、エアコンの設定温度が２７℃であることを示す情報などである。
【００２８】
同様に、図６では、見取り図１０ａ上の「キッチン」に登録された冷蔵庫のアイコン１１ｂにその動作状態を示す機器動作状態情報１４ｂが対応付けて表示されている。機器動作状態情報１４ｂは、例えばドアが閉まっていることを示す情報や、急冷運転中であることを示す情報などである。また、見取り図１０ａ上の「リビング」に登録されたテレビのアイコン１１ｃにはその動作状態を示す機器動作状態情報１４ｃが対応付けて表示されている。機器動作状態情報１４ｃは例えば電源入り状態であることを示す情報である。また、見取り図１０ａ上の「リビング」に登録されたエアコンのアイコン１１ｄにはその動作状態を示す機器動作状態情報１４ｄが対応付けて表示されている。機器動作状態情報１４ｄは例えばエアコンの設定温度が２５℃であることを示す情報である。
【００２９】
図７には、図６に示される機器動作状態表示画面３２上の機器動作状態情報１４ａがタッチ操作されたときに表示される機器操作画面３３の一例が示されている。機器動作状態情報１４ａのタッチ操作を検知した表示制御部６ｂは、見取り図１０ａ上に機器操作画面３３を重畳させるように表示する。
【００３０】
機器操作画面３３には電子機器４を操作するための様々な情報が表示され、図示例では、エアコン１の運転を開始または停止させるためのボタン、エアコン１の運転モードを選択するためのボタン、エアコン１の設定温度を調整するためのボタン、エアコン１の室内機から吐き出される風の向きや風速を調整するためのボタン、これらの設定内容を確定するための決定ボタン１７などが表示される。
【００３１】
機器操作画面３３で所望の設定が行われた後に決定ボタン１７が操作された場合、携帯端末６（例えば表示制御部６ｂ）では機器動作状態データ１４が更新される。機器制御部６ｄは、設定の更新が行われた電子機器４に対応する機器動作状態データ１４および機器識別情報データ１５を、通信部６ｃを介してサーバ１に送信する。これらのデータを受信したサーバ１の機器制御部１ｂは、携帯端末６からの機器識別情報データ１５に基づいて操作対象の電子機器４を特定し、特定された電子機器４に対して、更新後の機器動作状態データ１４を送信する。
【００３２】
次に、図８を用いて、未登録機器リスト８に示されるアイコンを見取り図１０ａに登録する際の動作を説明する。
【００３３】
機器登録ボタン１６（図４参照）がタッチ操作されたとき、表示画面７には機器登録画面３０が表示され（ステップＳ１）、未登録機器リスト８のアイコンがドラッグ操作されて見取り図１０ａ上にドロップされたとき、ドロップされた位置が見取り図１０ａ上におけるアイコンの設定位置として登録される（ステップＳ２）。このとき、機器座標データ１２がこの設定位置における座標値に更新される（ステップＳ３）。なお、機器座標データ１２の更新は例えば表示制御部６ｂにより行われる。
【００３４】
機器操作画面３３の決定ボタン１７が操作されるまで（機器登録が終了するまで）ステップＳ２からステップＳ４までの処理が繰り返され（ステップＳ４，Ｎｏ）、機器登録が終了したとき（ステップＳ４，Ｙｅｓ）、表示画面７の表示が図４の機器登録画面３１から図５の機器動作状態表示画面３２に切り替えられる（ステップＳ５）。
【００３５】
以上に説明したように本実施の形態に係る機器管理システムは、宅内に設置されネットワークに接続された制御対象の機器（電子機器４）をネットワークを介して管理する携帯端末６を備えた機器管理システムであって、携帯端末６は、タッチパネル式の表示画面７と、ネットワークを介して前記機器との間で情報の通信を行う通信部６ｃと、前記機器が設置される宅内の見取り図データ１０と、前記機器を表わすアイコンデータ１１と、表示画面７に表示される機器のアイコンの位置を示す機器座標データ１２とを記憶するメモリ６ａと、表示画面７に対するタッチ操作を検出した場合、見取り図データ１０に基づいて表示画面７上に見取り図１０ａを表示すると共に、アイコンデータ１１に基づいて表示画面７上にアイコンを表示する表示制御部６ｂと、を備え、表示制御部６ｂは、見取り図１０ａ上に位置しないアイコン（例えば未登録機器リスト８に位置するアイコン）に対するドラッグ操作を検出した場合、ドラッグ操作に追従させるようにアイコンを移動させ、このアイコンのドラッグ操作が見取り図１０ａ上で完了したとき、見取り図１０ａ上に位置するアイコンの座標値に機器座標データ１２を更新する。この構成により、携帯端末６の表示画面７に表示されるアイコンをドラッグ操作およびドロップ操作で見取り図１０ａ上の任意の場所に登録することができる。従って、ユーザはあたかも実際に宅内へ機器を据え付けるかのように、電子機器４の設置位置の登録を容易に行うことができる。
【００３６】
また、表示制御部６ｂは、タッチ操作を検出した場合、見取り図１０ａ上に位置しないアイコンを見取り図１０ａと重ならない位置に表示し、このアイコンに対するドラッグ操作を検出した場合、ドラッグ操作に追従させるようにアイコンを移動させるように構成されている。このように、見取り図１０ａと、見取り図１０ａに登録されていないアイコンとを１つの機器登録画面（３０，３１）上に表示させるようにしたので、１つの画面上でアイコンの登録状態および未登録状態を容易に判別することができる。すなわち画面遷移を行うことなくアイコンの登録状態を確認することができる。その結果、画面切り替え操作などの不要な操作が軽減され、ユーザの負担と軽減しながら確実性の高い機器登録が可能となる。
【００３７】
また、メモリ６ａには、電子機器４から送信された機器動作状態データ１４が記録され、表示制御部６ｂは、見取り図１０ａ上に移動されたアイコンに対応する機器の機器動作状態データ１４に基づいて、この機器の動作状態情報（１４ａ）をこのアイコンに対応付けて表示するように構成されている。このことにより、見取り図１０ａ上に登録されたアイコンに対応する電子機器４の動作状態を容易に確認することができる。
【００３８】
また、表示制御部６ｂは、動作状態情報（１４ａ）のタッチ操作が行われたとき、機器の動作設定内容を変更する機器操作画面３３を見取り図１０ａに重畳して表示させるように構成されている。このことにより、電子機器４の動作設定内容を容易に変更することができる。
【００３９】
実施の形態２．
図９は、本発明の実施の形態２に係る機器管理システムを模式的に示す図である。図１０は、図９に示される携帯端末の機能ブロック図である。実施の形態１は電子機器４を携帯端末６で遠隔制御する場合を想定したシステムであるが、実施の形態２は電子機器４が設置されている建物内で電子機器４を制御する場合を想定したシステムである。以下、実施の形態１と同一部分には同一符号を付してその説明を省略し、ここでは異なる部分についてのみ述べる。
【００４０】
図９において、実施の形態２に係る機器管理システムでは、実施の形態１のホームゲートウェイ３の代わりに無線ＬＡＮルータ２０が用いられ、携帯端末６Ａは、無線ＬＡＮルータ２０を介して、実施の形態１と同様に各電子機器４と通信を行う。
【００４１】
図１０において、実施の形態２に係る携帯端末６Ａは、主たる構成としてメモリ６ａ、表示制御部６ｂ、通信部６ｃ、機器制御部６ｄ’、およびテーブル６ｅを有して構成されている。実施の形態１との相違点は、機器制御部６ｄの代わりに機器制御部６ｄ’が用いられ、テーブル６ｅが追加されている点である。
【００４２】
実施の形態２ではサーバ１を用いていないため、図１０に示される機器制御部６ｄ’が実施の形態１の機器制御部１ｂの機能と機器制御部６ｄの機能とを併せ持つ。また、図１０に示されるテーブル６ｅでは、実施の形態１のテーブル１ａと同様に、機器動作状態データ１４および機器識別情報データ１５が電子機器４の種別と対応付けて管理されており、電子機器４から出力された機器動作状態データ１４および機器識別情報データ１５が携帯端末６Ａで受信されたとき、テーブル６ｅの情報が更新される。また、携帯端末６Ａのメモリ６ａには、見取り図データ１０、アイコンデータ１１、機器座標データ１２、および機器機種情報データ１３が予め登録されているものとする。
【００４３】
以下動作を説明する。携帯端末６Ａの表示画面７で所定の操作が行われたとき、見取り図データ１０に基づいて見取り図１０ａおよび機器登録ボタン１６が表示画面７上に表示される。次に、機器登録ボタン１６がタッチ操作されたとき、表示制御部６ｂでは、表示画面７の表示が図４の機器登録画面３０から図５の機器登録画面３１に切り替えられる。未登録機器リスト８に表示されたアイコンのドラッグ操作が行われたとき、未登録機器リスト８から選択されたアイコンが見取り図１０ａ上に移動され、ドラッグ操作が完了したとき、アイコンの位置が登録される。
【００４４】
アイコンの位置が登録された後、機器動作状態情報１４ａがタッチ操作されたとき、機器操作画面３３が見取り図１０ａ上に重畳させるように表示される。機器操作画面３３で所望の設定が行われた後に決定ボタン１７が操作された場合、携帯端末６Ａ（例えば表示制御部６ｂ）では、設定の更新が行われた電子機器４に対応する機器動作状態データ１４が更新される。機器制御部６ｄ’では、設定の更新が行われた電子機器４に対応する機器識別情報データ１５に基づいて、操作対象の電子機器４が特定され、特定された電子機器４に対して機器動作状態データ１４が送信される。機器動作状態データ１４は通信部６ｃ、無線ＬＡＮルータ２０、およびＬＡＮ５を介して、制御対象の電子機器４に送信され、機器動作状態データ１４を受信した電子機器４は、携帯端末６Ａで設定された条件に従って動作する。
【００４５】
以上に説明したように本実施の形態に係る機器管理システムでは、携帯端末６Ａが無線ＬＡＮルータ２０を介して電子機器４との間で情報の送受信を直接行うことにより、サーバ１を使わなくとも、電子機器４からの情報を収集し、かつ、電子機器４の動作を制御することができる。従って、実施の形態１と同様の機器登録および機器操作を行うことができると共に、システム構成が簡素化されて信頼性の高い機器管理システムを得ることができる。
【００４６】
実施の形態３．
図１１は、本発明の実施の形態３に係る機器管理システムの携帯端末の画面でエアコンの風向と風量を操作するときの表示例を示す図である。実施の形態３に係る機器管理システムは、ユーザが直感的にエアコンの操作を行うことができるように構成されている。アイコン（１１ａ〜１１ｄ）の登録が完了した画面（図６参照）において、例えばエアコンのアイコン１１ａ（または機器動作状態情報１４ａ）がタッチ操作されたとき、表示制御部６ｂは、エアコンの送風口から吐き出される風の向きや風量を矢印状のアイコン１１ｅ−１で表示する。さらに、表示制御部６ｂは、アイコン１１ｅ−１がドラッグ操作されたとき、アイコン１１ｅ−２のように矢印の長さや向きを変化させる。
【００４７】
具体的に説明すると、図１１に示されるエアコンのアイコン１１ａからは矢印状のアイコン１１ｅ−１が延びており、アイコン１１ｅ−１の向きは、現在エアコンに設定されている風向を表し、図示例では風向が洋室２の右側に向けられている。アイコン１１ｅ−１の長さは、現在エアコンに設定されている風量を表し、長いほど風量が強いことを示している。図示例ではその風量が比較的小さい状態である。
【００４８】
なお、図示例ではエアコンの運転モードが冷房運転の場合のアイコン１１ｅ−１が示されているが、アイコン１１ｅ−１の色をエアコンの運転モードに対応する色にすることによって、運転モードを容易に区別することができる。例えば、青色系であれば冷房運転と示し、赤色系であれば暖房運転を示す。なお、運転モードを区別する方法としては、アイコン１１ｅ−１を運転モード毎に異なる色で表現することに代えて、アイコン１１ｅ−１の矢印の形（線種や太さなど）を運転モード毎に異なる形状にして表現することでもよい。
【００４９】
アイコン１１ｅ−１がドラッグ操作されることによってアイコン１１ｅ−２のように変化する。図示例ではドラッグ操作後のエアコンの風向が洋室２のクローゼット側に向けられ、その風量が比較的大きい状態である。
【００５０】
アイコン１１ｅ−２が図示例の位置でドロップ操作されたとき、表示制御部６ｂは、エアコンのアイコン１１ａの位置における座標値と、ドロップされたアイコン１１ｅ−２の先端位置における座標値とに基づいてエアコンの風向および風量を決定する。そして、表示制御部６ｂは、メモリ６ａに記録された機器動作状態データ１４を、決定された風向および風量に対応したデータに更新する。
【００５１】
サーバ１を用いた実施の形態１のシステムでは、更新された機器動作状態データ１４および機器識別情報データ１５がサーバ１に送信され、これらのデータを受信したサーバ１では操作対象の電子機器４が特定され、特定された電子機器４に対して機器動作状態データ１４が送信され、機器動作状態データ１４を受信した電子機器４は設定された条件に従って動作する。
【００５２】
一方、サーバ１を用いない実施の形態２のシステムでは、携帯端末６Ａにおいて、更新された機器動作状態データ１４と機器識別情報データ１５とに基づいて操作対象の電子機器４が特定され、特定された電子機器４に対して機器動作状態データ１４が送信され、機器動作状態データ１４を受信した電子機器４が設定された条件に従って動作する。
【００５３】
以上に説明したように、実施の形態３に係る機器管理システムは、表示画面７に対するタッチ操作により動作設定内容が変更された電子機器４を制御するデータを生成し、通信部（１ｃ，６ｃ）を介してネットワークに出力する機器制御部（１ｂ，６ｄ）を備え、電子機器４が空調機である場合、表示制御部６ｂは、空調機の室内機から吐き出される風の向きと風量を図形化したアイコン１１ｅ−１を表示画面７上に表示し、ドラッグ操作に応じてこのアイコンの形状を変化させ、ドラッグ操作完了後のアイコン１１ｅ−２の座標値に基づいて機器動作状態データ１４を更新し、機器制御部（１ｂ，６ｄ）は、この機器動作状態データ１４に基づいて空調機を室内機から吐き出される風の向きと風量を制御するように構成されている。この構成により、ユーザはより直感的に空調機の操作を行うことができる。
【００５４】
また、本発明の実施の形態は、本発明の内容の一例を示すものであり、更なる別の公知技術と組み合わせることも可能であるし、本発明の要旨を逸脱しない範囲で、一部を省略する等、変更して構成することも可能であることは無論である。
【産業上の利用可能性】
【００５５】
以上のように、本発明は、機器管理システムに適用可能であり、特に、ユーザの利便性を向上させることができる発明として有用である。
【符号の説明】
【００５６】
１  サーバ、１ａ  テーブル、１ｂ  機器制御部、１ｃ  通信部、２  ＷＡＮ、３  ホームゲートウェイ、４  電子機器、５  ＬＡＮ、６，６Ａ  携帯端末、６ａ  メモリ、６ｂ  表示制御部、６ｃ  通信部、６ｄ，６ｄ’  機器制御部、６ｅ  テーブル、７  表示画面、８  未登録機器リスト、１０  見取り図データ、１０ａ  見取り図、１１  アイコンデータ、１１ａ，１１ｂ，１１ｃ，１１ｄ，１１ｅ−１，１１ｅ−２  アイコン、１２  機器座標データ、１３  機器機種情報データ、１４  機器動作状態データ、１４ａ，１４ｂ，１４ｃ，１４ｄ  機器動作状態情報、１５  機器識別情報データ、１５ａ，１５ｂ，１５ｃ，１５ｄ  機器識別情報、１６  機器登録ボタン、１７  決定ボタン、２０  無線ＬＡＮルータ、３０，３１  機器登録画面、３２  機器動作状態表示画面、３３  機器操作画面。
【図１】
2014164346.tif 000003
【図２】
2014164346.tif 000004
【図３】
2014164346.tif 000005
【図４】
2014164346.tif 000006
【図５】
2014164346.tif 000007
【図６】
2014164346.tif 000008
【図７】
2014164346.tif 000009
【図８】
2014164346.tif 000010
【図９】
2014164346.tif 000011
【図１０】
2014164346.tif 000012
【図１１】
2014164346.tif 000013